(57)【要約】【課題】制御手段側にて監視手段における暗電流モードが正常に機能しているか否かを診断可能な電池監視装置を提供する。【解決手段】監視回路２１に暗電流モード時にカウントを停止するタイマ回路２１５を設け、マイコン２２側から監視回路２１に対して暗電流モードへの移行を指示するモード切替指示信号が伝達されてから正常モードへの移行を指示するモード切替指示信号が伝達されるまでの間のタイマ回路２１５のカウント値をマイコン２２にて確認し、タイマ回路２１５のカウント値が異常診断基準値を上回っている場合に監視回路２１の暗電流モードが正常に機能していないと診断する。【選択図】図２
2013092397.tif 000002
【特許請求の範囲】
【請求項１】
複数の電池セル（１０）を直列接続して構成される組電池（１）の電池状態を監視する電池監視装置であって、
前記組電池（１）からの電力供給によって駆動され、前記組電池（１）の電池状態を監視する監視手段（２１）と、
前記監視手段（２１）による前記電池状態の監視結果を取得すると共に、前記監視手段（２１）の作動を制御する制御手段（２２）と、
前記監視手段（２１）および前記制御手段（２２）の間で信号を伝達する信号伝達手段（２３）と、を備え、
前記監視手段（２１）は、前記信号伝達手段（２３）を介して前記制御手段（２２）側から伝達されるモード切替指示信号に応じて、前記組電池（１）からの電力供給が接続状態とされる通常モード、および前記組電池（１）からの電力供給が遮断状態とされる暗電流モードのいずれかに移行するように構成されると共に、前記通常モードへの移行に同期してカウントを開始する一方、前記暗電流モードへの移行に同期してカウントを停止するように構成されたタイマ手段（２１５）を有し、
前記制御手段（２２）は、前記信号伝達手段（２３）を介して前記監視手段（２１）に対して前記暗電流モードから前記通常モードへの移行を指示するモード切替指示信号を伝達した後に前記監視手段（２１）から前記タイマ手段（２１５）のカウント値を取得し、取得した前記タイマ手段（２１５）のカウント値が異常診断基準値を上回っている場合に、前記監視手段（２１）における前記暗電流モードが正常に機能していないと診断することを特徴とする電池監視装置。
【請求項２】
前記監視手段（２１）は、前記暗電流モード時における前記タイマ手段（２１５）のカウント値を保持する記憶部（２１６）を有し、前記制御手段（２２）からのクリア指示信号に応じて、前記記憶部（２１６）に保持されたカウント値をクリアするように構成されていることを特徴とする請求項１に記載の電池監視装置。
【請求項３】
前記制御手段（２２）は、前記監視手段（２１）における前記暗電流モードが正常に機能していないと診断した場合において、前記タイマ手段（２１５）のカウント値が前記異常診断基準値よりも大きい値に設定された設定閾値を上回っている場合には、前記監視手段（２１）に対して前記暗電流モードへの移行を指示するモード切替指示信号が伝達されてから前記正常モードへの移行を指示するモード切替指示信号が伝達されるまでの間、前記監視手段（２１）が定常的に前記正常モードとなる異常状態と診断することを特徴とする請求項２に記載の電池監視装置。
【請求項４】
前記制御手段（２２）は、前記監視手段（２１）における前記暗電流モードが正常に機能していないと診断した場合において、前記タイマ手段（２１５）のカウント値が前記異常診断基準値よりも大きい値に設定された設定閾値以下となっている場合に、前記監視手段（２１）に対して前記暗電流モードへの移行を指示するモード切替指示信号が伝達されてから前記正常モードへの移行を指示するモード切替指示信号が伝達されるまでの間、前記監視手段（２１）が一時的に前記正常モードとなる異常状態と診断することを特徴とする請求項２または３に記載の電池監視装置。
【請求項５】
前記監視手段（２１）は、前記正常モードから前記暗電流モードに移行する際に、前記タイマ手段（２１５）のカウント値をクリアするように構成されていることを特徴とする請求項１に記載の電池監視装置。
【請求項６】
前記制御手段（２２）は、前記監視手段（２１）における前記暗電流モードが正常に機能していないと診断した場合において、前記タイマ手段（２１５）のカウント値が前記異常診断基準値よりも大きい値に設定された設定閾値を上回っている場合は、前記監視手段（２１）に対して前記暗電流モードへの移行を指示するモード切替指示信号が伝達されてから前記正常モードへの移行を指示するモード切替指示信号が伝達されるまでの間、前記監視手段（２１）が定常的に前記正常モードとなる異常状態と診断することを特徴とする請求項５に記載の電池監視装置。
【請求項７】
前記制御手段（２２）は、前記暗電流モードが正常に機能していないと診断した場合、前記組電池（１）の残存容量の許容下限値を上昇させることを特徴とする請求項１ないし６のいずれか１つに記載の電池監視装置。
【請求項８】
前記監視手段（２１）は、前記制御手段（２２）からの所定の指示信号に応じて、前記複数の電池セル（１０）の電圧を均等化する均等化放電を実行するように構成されており、
前記制御手段（２２）は、前記暗電流モードが正常に機能していないと診断した場合、前記監視手段（２１）への前記均等化放電を指示する均等化指示信号の伝達を禁止することを特徴とする請求項１ないし７のいずれか１つに記載の電池監視装置。
【発明の詳細な説明】
【技術分野】
【０００１】
本発明は、複数の電池セルを直列接続して構成される組電池の電池状態を監視する電池監視装置に関する。
【背景技術】
【０００２】
従来、電池監視装置は、主たる構成要素として、組電池を構成する各電池セルの電圧変動等の電池状態を監視する監視手段（監視回路）、および監視手段を制御する制御手段としてのマイクロコンピュータ（以下、マイコンと略称する。）を備えている。
【０００３】
電池監視装置における監視手段は、監視対象である組電池から電力供給されることで作動するように構成されているため、監視手段で電力が消費されると、組電池の各電池セルの残存容量ＳＯＣ（State of Charge）が低下することとなる。そして、監視手段が必要以上に作動すると、監視手段にて消費される電力が増加して、組電池の残存容量ＳＯＣの減少が促進されることから、組電池の電池セルが過放電状態となる虞がある。
【０００４】
そこで、監視手段にて消費される電力の低減を図るために、所定の条件が成立した場合に組電池から監視手段への電力供給を制限する暗電流モード（スリープモード）を設けた電池監視装置が提案されている（例えば、特許文献１参照）。この特許文献１に記載の電池監視装置は、マイコンによって監視手段の監視結果（監視情報信号）が参照されてない場合に、監視手段が暗電流モードに移行するように構成されている。
【先行技術文献】
【特許文献】
【０００５】
【特許文献１】特許第４１１４３１０号公報
【発明の概要】
【発明が解決しようとする課題】
【０００６】
しかしながら、特許文献１に記載の技術には、暗電流モードが正常に機能しているか否かを診断するような手段が全く設けられておらず、暗電流モードが正常に機能していない場合に、監視手段によって必要以上に組電池の電力が消費されてしまう可能性がある。さらに、監視手段の暗電流モードが正常に機能していない場合、組電池から監視手段以外の電気負荷（車両のインバータ等）への電力供給を充分に行うことができず、電気負荷を適切に駆動させることができなくなる虞がある。なお、暗電流モードが正常に機能していない例としては、監視手段に設けられたスイッチング素子等に異常が生じ、監視手段が暗電流モードに正常に移行しないといった異常状態や、外部ノイズ等の影響によって暗電流モード時に監視手段が誤起動する異常状態等が考えられる。
【０００７】
本発明は上記点に鑑みて、制御手段にて監視手段における暗電流モードが正常に機能しているか否かを診断可能な電池監視装置を提供することを目的とする。
【課題を解決するための手段】
【０００８】
上記目的を達成するため、請求項１に記載の発明では、複数の電池セル（１０）を直列接続して構成される組電池（１）の電池状態を監視する電池監視装置であって、組電池（１）からの電力供給によって駆動され、組電池（１）の電池状態を監視する監視手段（２１）と、監視手段（２１）による電池状態の監視結果を取得すると共に、監視手段（２１）の作動を制御する制御手段（２２）と、監視手段（２１）および制御手段（２２）の間で信号を伝達する信号伝達手段（２３）と、を備え、監視手段（２１）は、信号伝達手段（２３）を介して制御手段（２２）側から伝達されるモード切替指示信号に応じて、組電池（１）からの電力供給が接続状態とされる通常モード、および組電池（１）からの電力供給が遮断状態とされる暗電流モードのいずれかに移行するように構成されると共に、通常モードへの移行に同期してカウントを開始する一方、暗電流モードへの移行に同期してカウントを停止するように構成されたタイマ手段（２１５）を有し、制御手段（２２）は、信号伝達手段（２３）を介して監視手段（２１）に対して暗電流モードから通常モードへの移行を指示するモード切替指示信号を伝達した後に監視手段（２１）からタイマ手段（２１５）のカウント値を取得し、取得したタイマ手段（２１５）のカウント値が異常診断基準値を上回っている場合に、監視手段（２１）における暗電流モードが正常に機能していないと診断することを特徴とする。
【０００９】
これによれば、監視手段（２１）に暗電流モード時にカウントを停止するタイマ手段（２１５）を設け、制御手段（２２）側から監視手段（２１）に対して暗電流モードへの移行を指示するモード切替指示信号が伝達されてから正常モードへの移行を指示するモード切替指示信号が伝達されるまでの間のタイマ手段（２１５）のカウント値を制御手段（２２）にて確認することで、制御手段（２２）において監視手段（２１）の暗電流モードが正常に機能しているか否かを診断することが可能となる。なお、特許請求の範囲に記載された「遮断状態」とは、組電池（１）から電力供給が完全に遮断された状態だけを意味するものでなく、部分的に遮断された状態を含む意味である。
【００１０】
また、請求項２に記載の発明のように、請求項１に記載の電池監視装置において、監視手段（２１）を、暗電流モード時におけるタイマ手段（２１５）のカウント値を保持する記憶部（２１６）を有し、制御手段（２２）からのクリア指示信号に応じて、記憶部（２１６）に保持されたカウント値をクリアする構成としてもよい。
【００１１】
また、請求項３に記載の発明では、請求項２に記載の電池監視装置において、制御手段（２２）は、監視手段（２１）における暗電流モードが正常に機能していないと診断した場合において、タイマ手段（２１５）のカウント値が異常診断基準値よりも大きい値に設定された設定閾値を上回っている場合には、監視手段（２１）に対して暗電流モードへの移行を指示するモード切替指示信号が伝達されてから正常モードへの移行を指示するモード切替指示信号が伝達されるまでの間、監視手段（２１）が定常的に正常モードとなる異常状態と診断することを特徴とする。
【００１２】
これによれば、監視手段（２１）が定常的に正常モードとなってしまう異常状態、すなわち、監視手段（２１）が暗電流モードに移行しない異常状態となっていると診断することができる。従って、制御手段（２２）にて監視手段（２１）における暗電流モードが正常に機能しているか否かを的確に診断することが可能となる。
【００１３】
また、請求項４に記載の発明では、請求項２または３に記載の電池監視装置において、制御手段（２２）は、監視手段（２１）における暗電流モードが正常に機能していないと診断した場合において、タイマ手段（２１５）のカウント値が異常診断基準値よりも大きい値に設定された設定閾値以下となっている場合に、監視手段（２１）に対して暗電流モードへの移行を指示するモード切替指示信号が伝達されてから正常モードへの移行を指示するモード切替指示信号が伝達されるまでの間、監視手段（２１）が一時的に正常モードとなる異常状態と診断することを特徴とする。
【００１４】
これによれば、例えば、外部ノイズ等の影響で暗電流モード中に誤起動（正常モードへの移行）が生じたり、暗電流モードへの移行遅延が生じたりすることで監視手段（２１）が一時的に正常モードとなる異常状態となっている診断することができる。従って、制御手段（２２）にて監視手段（２１）における暗電流モードが正常に機能しているか否かを的確に診断することが可能となる。
【００１５】
また、請求項５に記載の発明のように、請求項１に記載の電池監視装置において、監視手段（２１）を、正常モードから暗電流モードに移行する際に、タイマ手段（２１５）のカウント値をクリアする構成としてもよい。
【００１６】
また、請求項６に記載の発明では、請求項５に記載の電池監視装置において、制御手段（２２）は、監視手段（２１）における暗電流モードが正常に機能していないと診断した場合において、タイマ手段（２１５）のカウント値が異常診断基準値よりも大きい値に設定された設定閾値を上回っている際には、監視手段（２１）に対して暗電流モードへの移行を指示するモード切替指示信号が伝達されてから正常モードへの移行を指示するモード切替指示信号が伝達されるまでの間、監視手段（２１）が定常的に正常モードとなる異常状態と診断することを特徴とする。
【００１７】
これによれば、監視手段（２１）が定常的に正常モードとなってしまう異常状態、すなわち、監視手段（２１）が暗電流モードに移行しない異常状態となっていることを診断することができる。従って、制御手段（２２）にて監視手段（２１）における暗電流モードが正常に機能しているか否かを的確に診断することが可能となる。
【００１８】
また、請求項７に記載の発明では、請求項１ないし６のいずれか１つに記載の電池監視装置において、制御手段（２２）は、暗電流モードが正常に機能していないと診断した場合、組電池（１）の残存容量の許容下限値を上昇させることを特徴とする。
【００１９】
これによれば、監視手段（２１）によって組電池（１）の電力が消費されたとしても、組電池（１）が過放電状態となってしまうことを抑制することが可能となる。
【００２０】
また、請求項８に記載の発明では、請求項１ないし７のいずれか１つに記載の電池監視装置において、監視手段（２１）は、制御手段（２２）からの所定の指示信号に応じて、複数の電池セル（１０）の電圧を均等化する均等化放電を実行するように構成されており、制御手段（２２）は、暗電流モードが正常に機能していないと診断した場合、監視手段（２１）への均等化放電を指示する均等化指示信号の伝達を禁止することを特徴とする。
【００２１】
これにより、組電池（１）の電力が必要以上に消費されてしまうことを抑制することが可能となる。
【００２２】
なお、この欄および特許請求の範囲で記載した各手段の括弧内の符号は、後述する実施形態に記載の具体的手段との対応関係を示すものである。
【図面の簡単な説明】
【００２３】
【図１】実施形態に係る電池監視装置を含む組電池制御システムの全体構成図である。
【図２】実施形態に係るマイコンが実行する異常診断処理の流れを示すフローチャートである。
【図３】実施形態に係るマイコンが実行する異常対応処理の流れを示すフローチャートである。
【発明を実施するための形態】
【００２４】
本発明の一実施形態について図１〜図３に基づいて説明する。本実施形態では、ハイブリッド自動車や電気自動車に搭載される高圧バッテリである組電池１の制御システムに本発明の電池監視装置２を適用している。図１の全体構成図に示すように、本実施形態の組電池制御システムは、主たる構成として組電池１および電池監視装置２を備える。
【００２５】
本実施形態の組電池１は、車両走行用の電動機（図示略）等の各種電気負荷に電力を供給するものである。具体的には、組電池１は、リチウムイオン電池等からなる電池セル１０を複数直列に接続したもので、互いに隣接する所定数（本実施形態では８個）の電池セル毎にグループ化した複数の電池ブロックＢ１〜Ｂｎの直列接続体として構成されている。なお、図１では、複数の電池ブロックＢ１〜Ｂｎのうち、１つの電池ブロックＢｉ（ｉ＝１〜ｎ）を示しているが、実際には電池ブロックＢが多数設けられている。
【００２６】
このように構成される組電池１には、検出ラインを介して電池監視装置２が接続されている。この電池監視装置２は、組電池１を構成する各電池セル１０の過放電状態、過充電状態等の電池状態を監視する過充放電検出機能、および各電池セル１０の電圧を均等化する均等化放電機能を有する装置である。なお、過放電状態は、各電池セル１０の電圧が信頼性の低下を招く過度な低電圧となる異常状態を意味し、過充電状態は、各電池セル１０の電圧が信頼性の低下を招く過度な高電圧となる異常状態を意味する。
【００２７】
具体的には、電池監視装置２は、主たる構成要素として、各電池ブロックＢに対応して設けられ、電池ブロックＢ毎の電池状態を監視する複数の監視回路２１、各監視回路２１等の作動を制御するマイコン２２、および各監視回路２１とマイコン２２との間を電気的に絶縁した状態で信号伝達を可能とする複数の絶縁信号伝達回路２３を備えている。なお、本実施形態では、監視回路２１が特許請求の範囲に記載の監視手段を構成し、マイコン２２が特許請求の範囲に記載の制御手段を構成し、絶縁信号伝達回路２３が特許請求の範囲に記載の信号伝達手段を構成する。
【００２８】
各監視回路２１は、監視対象である高電圧の電池ブロックＢを電源とし、マイコン２２は、図示しない低電圧の補助バッテリ（例えば１２Ｖバッテリ）を電源としている。つまり、本実施形態の監視回路２１は、高電圧で駆動する高圧系を構成するのに対して、制御手段であるマイコン２２は低電圧で駆動する低圧系を構成する。
【００２９】
監視回路２１は、監視する電池ブロックＢの各電池セル１０の両極端子に検出ラインを介して接続され、各電池セル１０の電圧を検出して、その結果をマイコン２２側へ出力するように構成されている。なお、本実施形態の監視回路２１は、電池ブロックＢ毎に設けられている。
【００３０】
監視回路２１は、監視する電池ブロックＢの各電池セル１０の電圧を検出する電圧検出部２１１、各電池セル１０の電圧を均等化する均等化回路２１２、各種信号の入出力を行う入出力部２１３、電源部２１４、タイマ回路２１５、記憶部２１６等を有して構成されている。
【００３１】
本実施形態の電圧検出部２１１は、監視する電池ブロックＢの各電池セル１０に接続された複数の選択スイッチを有し、任意の選択スイッチをオンオフ可能に構成されたマルチプレクサ（図示略）、マルチプレクサを介して取得したアナログ信号（電圧値）をデジタルデータに変換するＡＤ変換器（図示略）等で構成されている。
【００３２】
均等化回路２１２は、電圧検出部２１１の検出値を参照して、各電池セル１０の電圧のバラツキを検出し、電池ブロックＢ内において他の電池セル１０よりも高電圧となる電池セル１０の正極側から流れる電流を負極側に流すことにより、各電池セル１０のセル電圧のばらつきを調整（縮小）するための回路である。
【００３３】
入出力部２１３は、絶縁信号伝達回路２３を介してマイコン２２側と各種信号の入出力を行うものである。この入出力部２１３は、後述するマイコン２２側からのモード切替指示信号を入力するための第１端子部２１３ａ、およびマイコン２２側からのモード切替指示信号以外の他の通信信号の入出力を行うための第２端子部２１３ｂを有する。なお、第１端子部２１３ａは、チップセレクト端子（ＣＳ端子）で構成することができる。
【００３４】
ここで、モード切替指示信号は、マイコン２２が監視回路２１に出力する指示信号であって、組電池１から監視回路２１へ電力が供給される接続状態とする通常モード、および組電池１から監視回路２１へ電力の供給が遮断される遮断状態とする暗電流モードのいずれかのモードに監視回路２１を移行させるための指示信号である。
【００３５】
続いて本実施形態の電源部２１４は、監視する電池ブロックＢにおける最も高電圧となる電池セル１０の正極端子と、最も低電圧となる電池セル１０の負極端子とに接続されて、電池ブロックＢの電圧を所望の電圧に変換して、監視回路２１の各構成要素２１１〜２１３、２１５、２１６へ供給するものである。
【００３６】
電源部２１４には、マイコン２２側からのモード切替指示信号に応じて、監視回路２１のモードを通常モードおよび暗電流モードのいずれかに切り替えるためのモード切替手段２１４ａが設けられている。このモード切替手段２１４ａとしては、例えば、監視回路２１の各構成要素２１１〜２１３、２１５との接続をオンオフするスイッチング素子で構成することができる。なお、暗電流モード時には、監視回路２１を構成する各構成要素への電力供給が遮断されるわけではなく、少なくとも記憶部２１６や、暗電流モードから正常モードへ移行する際に必要となる構成要素への電力供給は維持される。
【００３７】
タイマ回路２１５は、監視回路２１の通常モードへの移行に同期してカウントを開始する一方、暗電流モードへの移行に同期してカウントを停止するタイマ手段を構成する。なお、暗電流モード時には、タイマ回路２１５への電力供給が遮断され、タイマ回路２１５のカウントが停止することとなる。本実施形態のタイマ回路２１５は、マイコン２２からのカウント値伝達指示信号に応じて、カウント値をマイコン２２へ伝達するように構成されている。
【００３８】
記憶部２１６は、タイマ回路２１５のカウント値を保持するメモリである。この記憶部２１６は、暗電流モード時においても、組電池１からの電力供給が維持されるように構成されている。このため、暗電流モード時には、タイマ回路２１５のカウント値が記憶部２１６に保持される。なお、記憶部２１６に保持されたカウント値は、マイコン２２からのクリア指示信号に応じてクリアされる。
【００３９】
マイコン２２は、図示しないＭＰＵ、ＲＯＭ、ＥＥＰＲＯＭ、ＲＡＭ等からなるマイクロコンピュータであって、ＲＯＭ等の記憶手段に記憶されたプログラムに従って各種処理等を実行するものである。
【００４０】
本実施形態のマイコン２２は、各監視回路２１へ各種指示信号を伝達すると共に、各監視回路２１から出力される監視結果等の出力信号を取得し、取得した出力信号に応じて組電池１の電池状態を診断したり、監視回路２１の異常を診断したりするように構成されている。
【００４１】
マイコン２２側から各監視回路２１へ出力する指示信号としては、例えば、各電池セル１０の電池状態の監視を指示する監視指示信号、均等化放電を指示する均等化指示信号、監視回路２１のモードを通常モードおよび暗電流モードのいずれかに切り替えるためのモード切替指示信号、タイマ回路２１５のカウント値の伝達を指示するカウント値伝達指示信号、タイマ回路２１５のカウント値のクリアを指示するクリア指示信号等がある。
【００４２】
ここで、監視指示信号、均等化指示信号等は、例えば、車両のイグニッションスイッチ等のスタートスイッチ（図示略）がオンされている際にマイコン２２側から監視回路２１側へ伝達される。
【００４３】
また、暗電流モードへの移行を指示するモード切替指示信号は、車両のスタートスイッチがオフされた際にマイコン２２側から監視回路２１側へ伝達され、正常モードへの移行を指示するモード切替指示信号は、所定の起動条件が成立した際にマイコン２２側から監視回路２１側へ伝達される。
【００４４】
さらに、クリア指示信号は、暗電流モードへの移行を指示するモード切替指示信号と共に、車両のスタートスイッチがオフされた際に、マイコン２２から監視回路２１へ伝達される。
【００４５】
車両のスタートスイッチがオフされている場合、組電池１の各電池セル１０が電圧変動する可能性が少ないことから、マイコン２２では、監視回路２１に対して暗電流モードへの移行を指示するモード切替指示信号を伝達する。これにより、監視回路２１での電力消費量の低減を図ることが可能となる。
【００４６】
絶縁信号伝達回路２３は、監視回路２１側（監視手段側）とマイコン２２側（制御手段側）とを電気的に絶縁した状態で、マイコン２２と監視回路２１との間で信号伝達可能とする信号伝達手段を構成する。本実施形態の絶縁信号伝達回路２３は、モード切替指示信号をマイコン２２側から監視回路２１側へ伝達するための第１信号伝達部２３ａ、およびモード切替指示信号以外の他の通信信号（監視指示信号、均等化指示信号、カウント値伝達指示信号、クリア指示信号等）をマイコン２２側から監視回路２１へ伝達するための第２信号伝達部２３ｂを有している。すなわち、本実施形態の絶縁信号伝達回路２３では、第１信号伝達部２３ａと第２信号伝達部２３ｂとが別個独立して構成されている。
【００４７】
第１信号伝達部２３ａは、マイコン２２側から監視回路２１側への一方向に信号を伝達する光結合方式の絶縁素子で構成されている。この第１信号伝達部２３ａは、高速で信号伝達する必要性の低いモード切替指示信号を伝達することから、例えば、フォトカプラで構成することができる。なお、第１信号伝達部２３ａは、組電池１ではなく、マイコン２２を駆動する補助バッテリからの電力供給により駆動される構成となっている。従って、第１信号伝達部２３ａは、監視回路２１が通常モードおよび暗電流モードのいずれのモードであっても、マイコン２２側から監視回路２１側へ信号を伝達することが可能となっている。
【００４８】
一方、第２信号伝達部２３ｂは、マイコン２２側から監視回路２１側、および監視回路２１側からマイコン２２側の双方向に信号を伝達する一対の光結合方式の絶縁素子で構成されている。この第２信号伝達部２３ｂは、第１信号伝達部２３ａに比べて、高速で信号伝達する必要性の高い通信信号を伝達する可能性があることから、各絶縁素子それぞれを、例えば、信号伝達を高速化するための高速ロジックＩＣを有するフォトＩＣカプラで構成することができる。
【００４９】
なお、第２信号伝達部２３ｂは、監視回路２１側からマイコン２２側へ信号伝達する絶縁素子（高速ロジックＩＣ）が、組電池１からの電力供給により駆動される構成となっている。従って、第２信号伝達部２３ｂは、監視回路２１のモードが通常モードとなっている場合にだけ監視回路２１側からマイコン２２側へ信号を伝達することが可能となっている。換言すれば、第２信号伝達部２３ｂは、監視回路２１が暗電流モードとなっている場合に、監視回路２１側からマイコン２２側へ信号を伝達することができなくなっている。
【００５０】
次に、本実施形態に係る電池監視装置２の作動について説明する。本実施形態の電池監視装置２は、組電池１の監視および均等化を行うと共に、監視回路２１の異常診断を行い、さらに、異常診断の結果に応じて異常対応処理を行う。
【００５１】
まず、電池監視装置２による組電池１の監視および均等化について説明する。電池監視装置２による組電池１の監視は、組電池１の各電池ブロックＢから監視回路２１に電力が供給されると共に、監視回路２１の電源部２１４から絶縁信号伝達回路２３へ電力供給可能な状況において、例えば、外部から指令等により実行される。
【００５２】
マイコン２２は、絶縁信号伝達回路２３の第２信号伝達部２３ｂを介して、各電池セル１０の電池状態の監視を指示する監視指示信号を各監視回路２１側に伝達する。マイコン２２からの監視指示信号を受けた監視回路２１では、電圧検出部２１１にて監視対象である電池ブロックＢの電圧等の電池状態を検出する。その後、監視回路２１は、電圧検出部２１１で検出した各電池セル１０の電池状態等の出力信号を入出力部２１３の第２端子部２１３ｂから絶縁信号伝達回路２３の第２信号伝達部２３ｂを介してマイコン２２側へ伝達し、マイコン２２にて、各電池セル１０の電池状態が診断される。
【００５３】
そして、マイコン２２によって、各電池セル１０の電圧に所定値以上の差が生じていると診断された場合には、絶縁信号伝達回路２３の第２信号伝達部２３ｂを介して、均等化放電を指示する均等化指示信号を監視回路２１へ伝達する。マイコン２２からの均等化指示信号を受けた監視回路２１では、均等化回路２１２にて監視対象である電池ブロックＢの各電池セル１０の均等化を行う。
【００５４】
次に、電池監視装置２による監視回路２１の暗電流モードが正常に機能しているか否かを診断する異常診断について図２を用いて説明する。図２は、本実施形態に係るマイコン２２が実行する異常診断処理の流れを示すフローチャートである。なお、図２に示す制御ルーチンは、車両のスタートスイッチがオフされた際に実行される。
【００５５】
図２に示すように、まず、監視回路２１に対して、絶縁信号伝達回路２３を介して、暗電流モードへの移行を指示するモード切替指示信号、およびクリア指示信号を伝達する（Ｓ１０）。なお、記憶部２１６に記憶されたタイマ回路２１５のカウント値を確実にクリアするために、クリア指示信号を伝達した後、モード切替指示信号を伝達するようにしてもよい。
【００５６】
ステップＳ１０の処理後、予め定められた一定期間待機する（Ｓ１１）。なお、ステップＳ１１における一定期間は、監視回路２１が正常モードから暗電流モードへの移行に要する期間に設定されている。
【００５７】
ステップＳ１１にて一定期間待機した後、監視回路２１の起動条件が成立したか否かを判定する（Ｓ１２）。なお、起動条件としては、ステップＳ１１の処理後、所定時間（例えば１時間）経過した際に成立する条件や、外部から電池監視の指令があった際に成立する条件とすることができる。
【００５８】
ステップＳ１２の判定処理にて、起動条件が成立していないと判定された場合（Ｓ１２：ＮＯ）には、ステップ１１に戻って待機状態を維持する。一方、ステップＳ１２の判定処理にて、起動条件が成立したと判定された場合（Ｓ１２：ＹＥＳ）には、監視回路２１に対して正常モードへの移行を指示するモード切替指示信号を伝達する（Ｓ１３）。
【００５９】
その後、監視回路２１に対してタイマ回路２１５のカウント値の伝達を指示するカウント値伝達指示信号を伝達し（Ｓ１４）、監視回路２１の記憶部２１６からタイマ回路２１５のカウント値を取得する。
【００６０】
ここで、監視回路２１の暗電流モードが正常に機能していれば、タイマ回路２１５のカウントが停止しているため、監視回路２１の記憶部２１６から取得したタイマ回路２１５のカウント値が略ゼロとなる。
【００６１】
これに反して、監視回路２１の記憶部２１６から取得したタイマ回路２１５のカウント値が略ゼロとならない場合、タイマ回路２１５のカウントが行われており、監視回路２１の暗電流モードが正常に機能していない異常状態と考えられる。
【００６２】
このため、本実施形態では、ステップＳ１４で取得したタイマ回路２１５のカウント値を異常診断基準値αと比較して、カウント値が異常診断基準値αを上回っているか否かを判定する（Ｓ１５）。なお、異常診断基準値αは、マイコン２２が監視回路２１に対して暗電流モードへの移行を指示するモード切替指示信号を伝達してから実際に監視回路２１が暗電流モードへの移行を完了するまでに要する時間（ディレイ時間）を加味した値に設定されている。
【００６３】
ステップＳ１５の判定処理の結果、タイマ回路２１５のカウント値が異常診断基準値αを上回っていると判定された場合（Ｓ１５：ＹＥＳ）には、さらに、タイマ回路２１５のカウント値が異常診断基準値αよりも大きい値に設定された設定閾値β以下であるか否かを判定する（Ｓ１６）。
【００６４】
なお、設定閾値βは、監視回路２１に対して暗電流モードへの移行を指示するモード切替指示信号を伝達した後、タイマ回路２１５が一時的に駆動していたのか、定常的に駆動したのかを区別するための閾値（時間）である。設定閾値βとしては、監視回路２１に対して暗電流モードへの移行を指示するモード切替指示信号を伝達してから正常モードへの移行を指示するモード切替指示信号を伝達するまでの時間よりも短い時間（例えば、ステップＳ１１の待機時間）に設定されている。
【００６５】
ステップＳ１６の判定処理の結果、タイマ回路２１５のカウント値が設定閾値βを上回っていると判定された場合（Ｓ１６：ＮＯ）には、監視回路２１に対して暗電流モードへの移行を指示するモード切替指示信号を伝達してから正常モードへの移行を指示するモード切替指示信号を伝達するまでの間、タイマ回路２１５のカウントが継続して行われている可能性が高いことから、監視回路２１が定常的に正常モードとなる異常状態と診断し（Ｓ１７）、異常診断処理を終了する。なお、このような異常状態となる要因としては、電源部２１４のモード切替手段２１４ａの固着故障等が考えられる。
【００６６】
一方、ステップＳ１６の判定処理の結果、タイマ回路２１５のカウント値が設定閾値以下と判定された場合（Ｓ１６：ＹＥＳ）には、監視回路２１に対して暗電流モードへの移行を指示するモード切替指示信号を伝達してから正常モードへの移行を指示するモード切替指示信号を伝達するまでの間、タイマ回路２１５のカウントが一時的に行われた可能性が高いことから、監視回路２１が一時的に正常モードとなる異常状態と診断し（Ｓ１８）、異常診断処理を終了する。なお、このような異常状態となる要因としては、外部ノイズ等の影響による監視回路２１の誤起動や、監視回路２１が暗電流モードへ移行する際の移行遅延等が考えられる。
【００６７】
ここで、タイマ回路２１５のカウント値が異常診断基準値αを上回っていると判定された場合（Ｓ１５：ＹＥＳ）には、監視回路２１の暗電流モードが正常に機能していない異常状態であることから、ステップＳ１７、Ｓ１８にて、暗電流モードが正常に機能しているか否かを示すモード異常フラグをオン、すなわち、モード異常フラグを「１」に設定し、モード異常フラグの状態をマイコン２２のＥＥＰＲＯＭ等の記憶手段に記憶する。
【００６８】
また、ステップＳ１５の判定処理の結果、タイマ回路２１５のカウント値が異常診断基準値α以下と判定された場合（Ｓ１５：ＮＯ）には、暗電流モードが正常に機能している正常状態と診断し（Ｓ１９）、異常診断処理を終了する。なお、ステップＳ１９では、モード異常フラグをオフ、すなわち、モード異常フラグを「０」に設定し、モード異常フラグの状態をマイコン２２のＥＥＰＲＯＭ等の記憶手段に記憶する。
【００６９】
ここで、マイコン２２が実行する処理のうち、ステップＳ１３の処理が、絶縁信号伝達回路２３を介して監視回路２１に対して暗電流モードから正常モードへの移行を指示するモード切替指示信号を伝達する正常モード移行指示手段を構成する。また、ステップＳ１４の処理が、監視回路２１に対してモード切替指示信号を伝達した後にカウント値伝達信号を伝達するカウント値取得手段を構成する。さらに、ステップＳ１５〜Ｓ１８の処理が、タイマ回路２１５のカウント値が異常診断基準値を上回っている場合に、監視回路２１における暗電流モードが正常に機能していないと診断する暗電流モード異常診断手段を構成する。
【００７０】
続いて、上述の異常診断処理を行った後、次に車両のスタートスイッチがオンされた際にマイコン２２が実行する異常対応処理について図３を用いて説明する。図３は、本実施形態に係るマイコン２２が実行する異常対応処理の流れを示すフローチャートである。なお、図３に示す制御ルーチンは、図２に示す異常診断処理を行った後、次に車両のスタートスイッチがオンされた際に実行される。
【００７１】
図３に示すように、まず、モード異常フラグがオンであるか否かを判定する（Ｓ１００）。この結果、モード異常フラグがオフと判定された場合（Ｓ１００：ＮＯ）には、異常対応処理を終了する。
【００７２】
一方、モード異常フラグがオンと判定された場合（Ｓ１００：ＹＥＳ）には、暗電流モードが正常に機能していない異常状態であることを確定する（Ｓ２００）。そして、異常状態による各種弊害を抑制するための制限処理を実行し（Ｓ３００）、異常対応処理を終了する。
【００７３】
ここで、本実施形態の制限処理（Ｓ３００）では、組電池１の残存容量（ＳＯＣ）を制限する許容下限値を、モード異常フラグがオフとなっている際によりも上昇させる処理を行う。例えば、モード異常フラグがオフとなっている際の組電池１の残存容量（ＳＯＣ）の許容下限値が２０％程度に設定されている場合、制限処理にて許容下限値を６０％〜８０％に上昇させる。
【００７４】
これによれば、監視回路２１によって組電池１の電力が消費されたとしても、組電池１が過放電状態となってしまうことを抑制することが可能となる。
【００７５】
また、本実施形態の制御処理（Ｓ３００）では、監視回路２１への均等化放電を指示する均等化指示信号の伝達を禁止する処理を行う。これにより、組電池１の電力が必要以上に消費されてしまうことを抑制することが可能となる。この結果、組電池１が過放電状態となってしまうことを抑制することが可能となる。
【００７６】
なお、マイコン２２が実行する処理のうち、ステップＳ３００の処理が、組電池１の残存容量（ＳＯＣ）の許容下限値の上昇や、監視回路２１への均等化放電を指示する均等化指示信号の伝達の禁止を行う暗電流モード異常対応手段を構成する。
【００７７】
以上説明した本実施形態の電池監視装置２によれば、監視回路２１に暗電流モード時にカウントを停止するタイマ回路２１５を設け、マイコン２２側から監視回路２１に対して暗電流モードへの移行を指示するモード切替指示信号が伝達されてから正常モードへの移行を指示するモード切替指示信号が伝達されるまでの間のタイマ回路２１５のカウント値をマイコン２２にて確認する構成としているので、マイコン２２において監視回路２１の暗電流モードが正常に機能しているか否かを診断することが可能となる。
【００７８】
また、本実施形態では、マイコン２２において監視回路２１の暗電流モードが正常に機能していない場合のタイマ回路２１５のカウント値に基づいて、監視回路２１が定常的に正常モードとなってしまう異常状態と、一時的に正常モードとなってしまう異常状態とを区別可能な構成としている。このため、マイコン２２において、監視回路２１における暗電流モードが正常に機能しているか否かを的確に診断することができる。
【００７９】
（他の実施形態）
以上、本発明の実施形態について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。例えば、以下のように種々変形可能である。
【００８０】
（１）上述の実施形態で説明したように、監視回路２１の異常診断処理において、監視回路２１が定常的に正常モードとなってしまう異常状態と、一時的に正常モードとなってしまう異常状態とを区別して診断することが好ましいが、これに限定されない。例えば、異常診断処理において、定常的に正常モードとなってしまう異常状態と、一時的に正常モードとなってしまう異常状態とを区別することなく、単に、監視回路２１の暗電流モードが正常に機能していない異常状態と診断するようにしてもよい。この場合、図２のステップＳ１５で、タイマ回路２１５のカウント値が異常診断基準値αを上回っていると判定された場合（Ｓ１５：ＹＥＳ）に、監視回路２１の暗電流モードが正常に機能していない異常状態と診断して、異常診断処理を終了すればよい。
【００８１】
また、監視回路２１の異常診断処理において、監視回路２１が定常的に正常モードとなってしまう異常状態、および一時的に正常モードとなってしまう異常状態のいずれかを診断するようにしてもよい。
【００８２】
さらに、監視回路２１の異常診断処理において、監視回路２１が定常的に正常モードとなる異常状態を診断する際の設定閾値と、一時的に正常モードとなる異常状態を診断する際の設定閾値とを異なる値に設定するようにしてもよい。例えば、監視回路２１が定常的に正常モードとなる異常状態を診断する際の設定閾値を第１閾値としたとき、一時的に正常モードとなる異常状態を診断する際の設定閾値を第１閾値よりも小さい第２閾値に設定することができる。この場合、タイマ回路２１５のカウント値が第１閾値を上回っている場合に、監視回路２１が定常的に正常モードとなる異常状態と診断し、タイマ回路２１５のカウント値が第２閾値以下となる場合に、監視回路２１が一時的に正常モードとなる異常状態と診断し、さらに、タイマ回路２１５のカウント値が第１閾値以下、かつ、第２閾値を上回っている場合に、監視回路２１の暗電流モードが機能していない異常状態と診断するようにすればよい。
【００８３】
（２）上述の実施形態では、マイコン２２から監視回路２１に対して、暗電流モードへの移行を指示するモード切替指示信号を伝達する際に、クリア指示信号を伝達して、記憶部２１６に保持されたカウント値をクリアする例について説明したが、これに限定されない。
【００８４】
例えば、マイコン２２から監視回路２１に対して、暗電流モードへの移行を指示するモード切替指示信号を伝達する際に、カウント値伝達指示信号を伝達し、監視回路２１が暗電流モードへ移行する際のタイマ回路２１５のカウント値をマイコン２２が取得するようにしてもよい。これによっても、監視回路２１の異常診断処理において、マイコン２２が、監視回路２１に対して暗電流モードへの移行を指示した際のタイマ回路２１５のカウント値と正常モードへの移行を指示した際のタイマ回路２１５のカウント値との差分を、異常診断基準値と比較することで、監視回路２１の暗電流モードが正常に機能していない異常状態を診断することができる。
【００８５】
（３）上述の実施形態では、監視回路２１に、暗電流モード時におけるタイマ回路２１５のカウント値を保持する記憶部２１６を設け、マイコン２２からのクリア指示信号に応じて、記憶部２１６に保持されたカウント値をクリアする例について説明したが、これに限定されない。
【００８６】
例えば、監視回路２１の記憶部２１６を廃し、正常モードから暗電流モードに移行する際に、タイマ回路２１５のカウント値がクリアされる構成としてもよい。これによれば、監視回路２１における電力消費量の低減を図ることができる。なお、このような構成とした場合、正常モードへの移行を指示するモード切替指示信号が伝達された際に、監視回路２１が暗電流モードに移行していれば、タイマ２１５のカウント値が略ゼロとなってしまう。このため、監視回路２１の異常診断処理において、一時的に暗電流モードが機能していない異常状態を診断することが難しくなるが、定常的に暗電流モードが機能していない異常状態を診断することは可能となる。
【００８７】
（４）上述の実施形態では、絶縁信号伝達回路２３の各信号伝達部２３ａ、２３ｂを光結合方式の絶縁素子で構成する例を説明したが、これに限定されない。絶縁信号伝達回路２３の各信号伝達部２３ａ、２３ｂとしては、例えば、磁気結合方式の絶縁素子（トランスカップリング）や容量結合方式の絶縁素子（コンデンサカップリング）を採用してもよい。
【００８８】
（５）上述の実施形態では、絶縁信号伝達回路２３として、マイコン２２側から監視回路２１側へモード切替指示信号を伝達するための専用の第１信号伝達部２３ａを設ける例について説明したが、これに限定されない。例えば、モード切替指示信号の伝達によって、監視回路２１における電源部２１４のモード切替手段２１４ａの作動を制御することが可能な構成であれば、絶縁信号伝達回路２３の第１信号伝達部２３ａを廃し、第２信号伝達部２３ｂにてモード切替指示信号を伝達するようにしてもよい。
【００８９】
なお、上述の実施形態で説明したように第２信号伝達部２３ｂを高速に信号伝達可能な絶縁素子で構成することが好ましいが、信号伝達の高速化の必要性が少ない場合等には、第２信号伝達部２３ｂを低速で信号伝達可能な絶縁素子で構成してもよい。
【００９０】
（６）上述の実施形態で説明したように、監視回路２１にて暗電流モードが正常に機能していない異常状態となった場合に、次回スタートスイッチをオンした際に異常対応処理を実行することが好ましいが、例えば、暗電流モードが正常に機能しないことによる弊害が小さい場合には異常対応処理を実行しないようにしてもよい。
【００９１】
（７）上述の実施形態では、異常対応処理として、組電池１の残存容量（ＳＯＣ）の許容下限値を上昇させる処理、および監視回路２１における均等化処理を禁止する処理を行う例を説明したが、一方の処理だけを実行するようにしてもよい。また、異常対応処理として、ユーザまたは保守員に異常を報知する処理を実行するようにしてもよい。
【００９２】
（８）上述の実施形態で説明したように、監視回路２１に均等化回路２１２を設けることが好ましいが、各電池セル１０の電圧のバラツキが問題とならない場合には、均等化回路２１２を省略してもよい。なお、この場合には、異常対応処理として均等化処理を禁止する処理以外の処理を実行すればよい。
【００９３】
（８）上述の実施形態では、車両のスタートスイッチがオフされている際に監視回路２１の異常診断処理（図２に示す制御ルーチン）を実行する例について説明したが、監視回路２１の異常診断処理の実行タイミングは、これに限定されない。例えば、車両のスタートスイッチがオンされている際に、他の制御装置からの指示等を契機（トリガ）として、監視回路２１の異常診断処理を実行するようにしてもよい。
【００９４】
また、上述の実施形態では、異常診断処理後、次に車両のスタートスイッチがオンされた際に、異常対応処理（図３に示す制御ルーチン）を実行する例について説明したが、異常対応処理の実行タイミングは、これに限定されない。例えば、異常診断処理にて監視回路２１にて暗電流モードが正常に機能していない異常状態と診断された場合には、直ちに異常対応処理を実行したり、診断後所定時間経過した際に異常対応処理を実行したりするようにしてもよい。
【００９５】
（９）上述の実施形態では、上述の各実施形態では、電池監視装置２を車載高圧バッテリに適用する例を説明したが、車載高圧バッテリに限らず、他のバッテリに用いてもよい。
【符号の説明】
【００９６】
１        組電池
１０      電池セル
２        電池監視装置
２１      監視回路（監視手段）
２１５    タイマ回路（タイマ手段）
２１６    記憶部
２２      マイコン（制御手段）
２３      絶縁信号伝達回路（信号伝達手段）
Ｂ        電池ブロック
【図１】
2013092397.tif 000003
【図２】
2013092397.tif 000004
【図３】
2013092397.tif 000005